(57)【要約】【課題】ペーパレストから搬送される用紙に画像を記録するプリンタにおいて、サイズの異なる用紙であっても、それらの用紙をペーパレストに載置するだけでガイドできる。【解決手段】プリンタ１は、Ａ４サイズの用紙２ａ又はレターサイズの用紙２ｂが載置されるペーパレスト３と、用紙２ａ，２ｂの右端に当接される基準ガイド３１と、用紙２ａ，２ｂの左端に当接される可動側ガイド３２を備える。可動側ガイド３２は、基準ガイド３１に用紙２ｂの右端を沿わせたとき、用紙２ｂの左端より左に位置する固定ガイド部３３と、固定ガイド部３３より右方に出っ張る回転式の可動ガイド部３４を有し、可動ガイド部３４とペーパレスト３の間に圧縮バネ４０が介在される。Ａ４サイズの用紙２ａ又はレターサイズの用紙２ｂの何れをペーパレスト３に載置しても、それらの用紙２ａ，２ｂは可動ガイド部３４にて圧縮バネ４０の弾性力により基準ガイド３１に押付けられる。【選択図】図３
2006044857.tif 000002
【特許請求の範囲】
【請求項１】
用紙が載置されるペーパレストと、前記ペーパレストから搬送される用紙に画像を記録する記録ヘッドと、前記ペーパレストに載置される用紙の右端に当接されて用紙をガイドする前記ペーパレストに固定された基準ガイドと、前記ペーパレストに載置される用紙の左端に当接されてサイズの異なる用紙に対応して該用紙をガイドする前記ペーパレストに設けられた可動側ガイドとを備えたプリンタにおいて、
前記可動側ガイドは、前記基準ガイドにレターサイズの用紙の右端を沿わせたとき、該用紙の左端よりも少し左の位置に設けられたガイド部と、このガイド部より用紙搬送方向下流側に設けられ、下流端側が前記ガイド部より右方に出っ張る回転式のガイド部とから構成され、
前記回転式のガイド部と前記ペーパレストとの間に、前記回転式のガイド部の下流端側が左方に回転されることに応じて弾性力を発生する圧縮バネが介在され、
前記回転式のガイド部は、力が加えられていない状態では、前記圧縮バネの弾性力により、該回転式ガイド部の下流端側と前記基準ガイドとの間隔がＡ４サイズの用紙幅よりも狭くなる初期位置に保持され、前記圧縮バネの弾性力に抗して、該回転式ガイド部の下流端側と前記基準ガイドとの間隔が前記初期位置から少なくともレターサイズの用紙幅となる位置まで回転可能であり、
前記ペーパレストにＡ４サイズ及びレターサイズの何れのサイズの用紙が載置された場合でも、それらの用紙が前記回転式のガイド部にて前記圧縮バネの弾性力により前記基準ガイドに押付けられることを特徴とするプリンタ。
【請求項２】
用紙が載置されるペーパレストと、前記ペーパレストから搬送される用紙に画像を記録する記録ヘッドと、前記ペーパレストに載置される用紙の一側端に当接されて用紙をガイドする前記ペーパレストに固定された基準ガイドと、前記ペーパレストに載置される用紙の他側端に当接されてサイズの異なる用紙に対応して該用紙をガイドする前記ペーパレストに設けられた可動側ガイドとを備えたプリンタにおいて、
前記可動側ガイドは、前記基準ガイドとの間隔が変化するように可動自在な可動式のガイド部を有し、
前記可動式のガイド部と前記ペーパレストとの間に、前記可動式のガイド部が前記基準ガイドと反対の方に可動されることに応じて弾性力を発生する弾性部材が介在され、
前記可動式のガイド部は、力が加えられていない状態では、前記弾性部材の弾性力により、該可動式のガイド部と前記基準ガイドとの間隔が所定距離となる初期位置に保持され、前記弾性部材の弾性力に抗して、該可動式のガイド部と前記基準ガイドとの間隔が前記初期位置より広くなるように可動可能であり、
前記ペーパレストに異なるサイズの用紙が載置された場合でも、それらの用紙が前記可動式のガイド部にて前記弾性部材の弾性力により前記基準ガイドに押付けられることを特徴とするプリンタ。
【請求項３】
前記可動式のガイド部は、初期位置として、前記基準ガイドとの間隔がＡ４サイズの用紙幅よりも狭くなる位置に保持され、前記弾性部材の弾性力に抗して、基準ガイドとの間隔が少なくともレターサイズの用紙幅となる位置まで可動可能である請求項２に記載のプリンタ。
【発明の詳細な説明】
【技術分野】
【０００１】
本発明は、ペーパレストに載置される用紙を搬送し、その用紙に画像を記録するプリンタに関するものである。
【背景技術】
【０００２】
従来から、用紙に画像を記録するプリンタにおいて、用紙が載置されるペーパレストを備え、ペーパレストに載置された用紙を搬送手段により搬送して、その用紙に記録ヘッドにより画像を記録するものがある。このようなプリンタでは、複数枚の用紙を重ねてペーパレストに載置でき、ペーパレストに載置された用紙をペーパレストに設けられた基準ガイド及び可動側ガイドによりガイドするようになっている。基準ガイドは、用紙の一側端に当接されて用紙をガイドするものであり、ペーパレストに固定されている。可動側ガイドは、用紙の他側端に当接されて用紙をガイドするものであり、サイズの異なる用紙に対応可能なようにスライド自在とされており、ペーパレストに載置する用紙のサイズに応じて、ユーザにより手動でスライドされる。
【０００３】
また、用紙を載置する載置テーブル上に用紙送り出し方向に沿って一対のガイド部材を配置し、この一対のガイド部材の互いに対向する内側面に多数の毛状体を植設することにより、異なるサイズの用紙を混ぜて載置テーブルに積層載置した場合でも、それらのサイズの異なる用紙を安定して送り出せるようにした用紙載置装置が知られている（例えば、特許文献１参照）。
【特許文献１】特開２０００−３８２２３号公報
【発明の開示】
【発明が解決しようとする課題】
【０００４】
ところが、上述した従来のプリンタにおいては、ペーパレストの可動側ガイドは手動でスライドさせるものであるため、用紙をペーパレストに載置する都度、ユーザが手動で可動側ガイドを調整して用紙をガイドする必要があり、手間を要するものであった。なお、上述した特許文献１に開示の内容を適用したとしても、上記の課題を解決することはできない。
【０００５】
本発明は、上記課題を解決するためになされたものであり、サイズの異なる用紙であっても、それらの用紙をペーパレストに載置するだけで、用紙を基準ガイド及び可動側ガイドによりガイドできるプリンタを提供することを目的とする。
【課題を解決するための手段】
【０００６】
上記目的を達成するために請求項１の発明は、用紙が載置されるペーパレストと、ペーパレストから搬送される用紙に画像を記録する記録ヘッドと、ペーパレストに載置される用紙の右端に当接されて用紙をガイドするペーパレストに固定された基準ガイドと、ペーパレストに載置される用紙の左端に当接されてサイズの異なる用紙に対応して該用紙をガイドするペーパレストに設けられた可動側ガイドとを備えたプリンタにおいて、可動側ガイドは、基準ガイドにレターサイズの用紙の右端を沿わせたとき、該用紙の左端よりも少し左の位置に設けられたガイド部と、このガイド部より用紙搬送方向下流側に設けられ、下流端側がガイド部より右方に出っ張る回転式のガイド部とから構成され、回転式のガイド部とペーパレストとの間に、回転式のガイド部の下流端側が左方に回転されることに応じて弾性力を発生する圧縮バネが介在され、回転式のガイド部は、力が加えられていない状態では、圧縮バネの弾性力により、該回転式ガイド部の下流端側と基準ガイドとの間隔がＡ４サイズの用紙幅よりも狭くなる初期位置に保持され、圧縮バネの弾性力に抗して、該回転式ガイド部の下流端側と基準ガイドとの間隔が初期位置から少なくともレターサイズの用紙幅となる位置まで回転可能であり、ペーパレストにＡ４サイズ及びレターサイズの何れのサイズの用紙が載置された場合でも、それらの用紙が回転式のガイド部にて圧縮バネの弾性力により基準ガイドに押付けられるものである。
【０００７】
請求項２の発明は、用紙が載置されるペーパレストと、ペーパレストから搬送される用紙に画像を記録する記録ヘッドと、ペーパレストに載置される用紙の一側端に当接されて用紙をガイドするペーパレストに固定された基準ガイドと、ペーパレストに載置される用紙の他側端に当接されてサイズの異なる用紙に対応して該用紙をガイドするペーパレストに設けられた可動側ガイドとを備えたプリンタにおいて、可動側ガイドは、基準ガイドとの間隔が変化するように可動自在な可動式のガイド部を有し、可動式のガイド部とペーパレストとの間に、可動式のガイド部が基準ガイドと反対の方に可動されることに応じて弾性力を発生する弾性部材が介在され、可動式のガイド部は、力が加えられていない状態では、弾性部材の弾性力により、該可動式のガイド部と基準ガイドとの間隔が所定距離となる初期位置に保持され、弾性部材の弾性力に抗して、該可動式のガイド部と基準ガイドとの間隔が初期位置より広くなるように可動可能であり、ペーパレストに異なるサイズの用紙が載置された場合でも、それらの用紙が可動式のガイド部にて弾性部材の弾性力により基準ガイドに押付けられるものである。
【０００８】
請求項３の発明は、請求項２に記載のプリンタにおいて、可動式のガイド部は、初期位置として、基準ガイドとの間隔がＡ４サイズの用紙幅よりも狭くなる位置に保持され、弾性部材の弾性力に抗して、基準ガイドとの間隔が少なくともレターサイズの用紙幅となる位置まで可動可能であるものである。
【発明の効果】
【０００９】
請求項１の発明によれば、Ａ４サイズ又はレターサイズの何れの用紙であっても、用紙の左端を回転式のガイド部に押し当ててペーパレストに載置するだけで、それらの用紙を回転式のガイド部にて基準ガイドに押付けてガイドできる。従って、ユーザが手動でガイドを調整する必要がなく、ユーザの手間を軽減できる。また、ユーザの手動に起因する不適切なガイド調整が行われることがなく、適切に用紙をガイドでき、用紙位置を安定させることができる。しかも、利用頻度の高いＡ４サイズ又はレターサイズの用紙をペーパレストに載置するだけで、それらの用紙をガイドでき、利便性が向上する。また、回転式のガイド部とすることより、簡素な構造で実現できる。
【００１０】
請求項２の発明によれば、サイズの異なる用紙であっても、用紙の側端を可動式のガイド部に押し当ててペーパレストに載置するだけで、それらの用紙を可動式のガイド部にて基準ガイドに押付けてガイドできる。従って、ユーザが手動でガイドを調整する必要がなく、ユーザの手間を軽減できる。また、ユーザの手動に起因する不適切なガイド調整が行われることがなく、適切に用紙をガイドでき、用紙位置を安定させることができる。
【００１１】
請求項３の発明によれば、利用頻度の高いＡ４サイズ及びレターサイズの用紙に対応可能であり、Ａ４サイズ又はレターサイズの用紙をペーパレストに載置するだけで、それらの用紙をガイドでき、利便性が向上する。
【発明を実施するための最良の形態】
【００１２】
以下、本発明を具体化した実施形態によるプリンタについて図面を参照して説明する。図１は、プリンタの構成を示す。プリンタ１は、例えばデジタルカメラやパソコン等から入力される画像データを基に用紙２に画像を記録するものである。プリンタ１は、用紙２が載置されるペーパレスト３と、用紙２を搬送する給紙ローラ４及びフィードローラ５と、用紙２を１枚ずつ分離するための分離パッド６と、用紙２に画像を記録する記録ヘッド７と、これら給紙ローラ４、フィードローラ５、分離パッド６、及び記録ヘッド７を内蔵する外装ケース８とを備える。外装ケース８には、用紙２を供給するための給紙口８１と、用紙２を排出するための排紙口８２が設けられている。
【００１３】
用紙２は、Ａ４サイズ又はレターサイズのものが用いられ、１枚又は複数枚のものが重ねてペーパレスト３に載置される。ペーパレスト３には、用紙２をガイドするための基準ガイド３１及び可動側ガイド３２が設けられている。基準ガイド３１は、用紙２の右端に当接されて用紙２を位置決め及びガイドするものであり、ペーパレスト３に固定されている。可動側ガイド３２は、用紙２の左端に当接されて用紙２をガイドするものであり、ペーパレスト３に固定された固定ガイド部３３と、用紙２が異なるサイズのものであっても対応可能なように、基準ガイド３１との間隔が変化するように可動自在な可動ガイド部３４とを有している。可動側ガイド３２の詳細については後述する。ペーパレスト３に載置された用紙２は、これら基準ガイド３１及び可動側ガイド３２によりガイドされると共に、その下端側が外装ケース８の給紙口８１に挿入され、その先端が分離パッド６に接触されて、保持される。
【００１４】
給紙ローラ４は、ペーパレスト３に載置されている用紙２をフィードローラ５へと搬送する。ペーパレスト３に載置されている用紙２は、分離パッド６からの摩擦力を受けて、一枚ずつ分離されてフィードローラ５へと搬送される。給紙ローラ４は、用紙２を搬送するときに不図示の駆動伝達機構により用紙２に圧接されると共に回転駆動され、用紙２を搬送しないときには、用紙２から離反される。フィードローラ５は、給紙ローラ４から搬送される用紙２を、記録ヘッド７の下方を通して、外装ケース８の排紙口８２へと搬送する。記録ヘッド７は、フィードローラ５により搬送される用紙２に画像を記録する。記録ヘッド７により画像が記録された用紙２は、排紙口８２から排出される。
【００１５】
図２（ａ）（ｂ）は、上記可動側ガイド３２の構成を示す。可動側ガイド３２は、上述のように、ペーパレスト３に固定された固定ガイド部３３と、基準ガイド３１との間隔が変化するように可動自在な可動ガイド部３４とを有している。固定ガイド部３３は、基準ガイド３１に用紙２としてレターサイズのものを沿わせたとき、用紙２の左端よりも少し左の位置に設けられている。可動ガイド部３４は、回転式であり、固定ガイド部３３よりも用紙２の搬送方向の下流側に設けられており、軸部３５を中心として下流端側が回転自在に支持されている。可動ガイド部３４の回転中心軸Ｃは、ペーパレスト３の用紙載置面と垂直な方向になっており、可動ガイド部３４の下流端側は、用紙載置面と平行に回転する。
【００１６】
回転式の可動ガイド部３４とペーパレスト３との間には、圧縮バネ４０が介在されており、可動ガイド部３４は、圧縮バネ４０の弾性力により回転位置が保持される。圧縮バネ４０は、可動ガイド部３４の下流端側が左方（図中矢印Ａ方向）に、すなわち基準ガイド３１と反対の方に回転されることに応じて、弾性力を発生するように設けられている。
【００１７】
可動ガイド部３４は、力が加えられていない状態では、圧縮バネ４０の弾性力により、下流端側が固定ガイド部３３より右方に出っ張り、可動ガイド部３４の下流端側と基準ガイド３１との間隔がＡ４サイズの用紙幅よりも狭くなる初期位置に保持されるようになっている。また、可動ガイド部３４は、圧縮バネ４０の弾性力に抗して、左方に回転できるようになっており、可動ガイド部３４の下流端側と基準ガイド３１との間隔がレターサイズの用紙幅を超える位置まで回転可能となっている。
【００１８】
図３（ａ）（ｂ）は、上記ペーパレスト３の動作を示す。ペーパレスト３には、Ａ４サイズの用紙２ａ又はレターサイズの用紙２ｂが載置される。用紙２ａ，２ｂは、例えば、用紙搬送方向上流側から基準ガイド３１と固定ガイド部３３との間に挿入することにより、用紙２ａ，２ｂの左端で可動ガイド部３４の下流端側を左方に押しながら、ペーパレスト３に載置される。
【００１９】
Ａ４サイズの用紙２ａを載置した場合は、可動ガイド部３４の下流端側は、初期位置よりも少しだけ左方に回転され、用紙２ａは、可動ガイド部３４の下流端側にて圧縮バネ４０（図２参照）の弾性力により基準ガイド３１に押付けられる（図３（ａ）参照）。レターサイズの用紙２ｂを載置した場合は、可動ガイド部３４の下流端側は、Ａ４サイズの用紙２ａを載置した場合よりも左方に回転され、用紙２ｂは、可動ガイド部３４の下流端側にて圧縮バネ４０の弾性力により基準ガイド３１に押付けられる（図３（ｂ）参照）。
【００２０】
このような構成のプリンタ１によれば、Ａ４サイズの用紙２ａ又はレターサイズの用紙２ｂの何れであっても、それらの用紙２ａ，２ｂの左端を回転式の可動ガイド部３４の下流端側に押し当ててペーパレスト３に載置するだけで、それらの用紙２ａ，２ｂを回転式のガイド部３４にて基準ガイド３１に押付けてガイドできる。従って、ユーザが手動でガイド調整する必要がなく、ユーザの手間を軽減できる。また、ユーザの手動に起因する不適切なガイド調整が行われることがなく、適切に用紙２ａ，２ｂをガイドでき、用紙２ａ，２ｂの位置を安定させることができる。また、可動ガイド部３４が回転式であるため、簡素な構造で実現できる。
【００２１】
なお、本発明は、上記実施形態の構成に限られず、種々の変形が可能である。例えば、上記実施形態において、可動ガイド部３４は、回転式に限られず、基準ガイド３１との間隔が変化するように可動自在であれば、どのような可動方式であってもよい。圧縮バネ４０に代えて、板バネやその他の弾性部材等を用いてもよい。基準ガイド３１と可動側ガイド３２の配置が逆、すなわち、基準ガイド３１が左側に設けられ、可動側ガイド３２が右側に設けられていてもよい。用紙２は、Ａ４サイズ又はレターサイズに限られず、他のサイズであってもよい。この場合、可動ガイド部３４の下流端側と基準ガイド３１との間隔を用紙２のサイズに対応したものとすればよい。
【図面の簡単な説明】
【００２２】
【図１】本発明の一実施形態に係るプリンタの概略構成を示す斜視図。
【図２】（ａ）は同プリンタの可動側ガイドの構成を示す斜視図、（ｂ）は同断面図。
【図３】（ａ）は同ペーパレストの動作を示すＡ４サイズの用紙を載置した場合の斜視図、（ｂ）は同レターサイズの用紙を載置した場合の斜視図。
【符号の説明】
【００２３】
１    プリンタ
２    用紙
２ａ    Ａ４サイズの用紙
２ｂ    レターサイズの用紙
３    ペーパレスト
４    給紙ローラ
５    フィードローラ
６    分離パッド
７    記録ヘッド
８    外装ケース
３１    基準ガイド
３２    可動側ガイド
３３    固定ガイド部
３４    可動ガイド部
３５    軸部
４０    圧縮バネ
【図１】
2006044857.tif 000003
【図２】
2006044857.tif 000004
【図３】
2006044857.tif 000005